Podtech/llm-jp-corpus-v4-ja_patent huggingface dataset:
(57)【要約】【課題】接地線付き二極プラグを接地極付コンセントに差し込むためのアダプタを、通電極を媒介せず接地極だけを媒介する簡素な形態とすることにより、狭い場所でも使用できる小さく安価な製品として提供する。【解決手段】接地極差込用の刃１と、ネジ４をねじ込むためのネジ穴２Ａが開いたネジ止め板２とを備え、接地線付き二極プラグ２０の接地線２１と接地極付コンセント１０の接地極刃受１１を電気的に接続した、金属製逆接地アダプタを提供する。【選択図】図３
0003201552.tif 000002
【実用新案登録請求の範囲】
【請求項１】
導体金属で作成され、接地極付コンセントの接地極刃受に差し込むための接地極差込用の刃と、接地線付き二極プラグの接地線をネジ止めするためのネジ穴を備え、通電極は媒介しないことを特徴とする、接地極だけを媒介する金属製逆接地アダプタ。
【考案の詳細な説明】
【技術分野】
【０００１】
本考案は、接地線付き二極プラグを接地極付コンセントに接続するための逆接地アダプタに関する。
【背景技術】
【０００２】
接地線付き二極プラグを接続するための二極の刃受け及び接地端子と、接地極付コンセントに差し込むための三極プラグとを備えた逆接地アダプタが数社から販売されている。
【先行技術文献】
【特許文献】
【０００３】
【特許文献１】特開２００６−２１０１４１  電源プラグ
【非特許文献】
【０００４】
【非特許文献１】サンワサプライ総合カタログ２０１５年、５８２ページ、２Ｐ−３Ｐ変換アダプタＴＡＰ−ＡＤ１ＲＮ
【非特許文献２】パナソニック、２０１４−２０１６電設資材総合カタログ、４３０ページ、アースターミナル付変換アダプタＷＨ２８８１Ｐ
【非特許文献３】エルパ２０１２総合カタログ、２９ページ、逆接地アダプター＃２９６６H
【考案の概要】
【考案が解決しようとする課題】
【０００５】
従来の逆接地アダプタは、接地極だけでなく２つの通電極をも媒介しており、一般に金属の電導体で作成された３つの電極をプラスチック等の絶縁体でまとめた構造になっている。部品点数が多くサイズが大きいため、製造コストが高く、狭い空間では使用できない場合がある。
【０００６】
本考案では、通電極に関わらず接地極だけを媒介することにより、小さく安価な製品で同じ目的を達成する。また通電極に関わらない簡素な構造であるため危険性が低く、電気用品安全法の対象とならない。
【課題を解決するための手段】
【０００７】
本考案は、従来品のように３つの電極をプラスチック等の絶縁体に埋め込むのではなく、接地極に差し込む金属棒だけの構成とする。したがって絶縁体の部分が不要となり、構造が大幅に簡素化される。
【考案の効果】
【０００８】
本考案の逆接地アダプタは、従来品と比べてサイズが小さいため、狭い空間でも使用できる。コンセントに差し込んだ状態でコンセント外部に突出して残る幅、高さ、奥行きは、従来品では一般に４ｃｍ立方程度であるが、本考案のアダプタでは１ｃｍ立方程度である。
【０００９】
本考案の逆接地アダプタは、従来品と比べて構造が単純なため、安価に製造することができる。部品の点数から見ると、従来品は一般にプラスチック部品２個、金属部品３個、ネジ２個の合計７個程度で構成されるが、本考案のアダプタの実施例は金属部品１個、ネジ１個の合計２個だけで構成されている。
【００１０】
本考案の逆接地アダプタは、従来品と異なり通電極に関わらないため、製品内部での電気回路短絡や漏電の危険がなく、電気用品安全法の対象とならない。この点でも従来品と比べて製造が容易である。
【図面の簡単な説明】
【００１１】
【図１】本考案のアダプタの実施例を示す。
【図２】本考案のアダプタの別の実施例を示す。
【図３】本考案のアダプタと、接地極付コンセント及び接地線付き二極プラグとの接続方法を示す。
【考案を実施するための形態】
【００１２】
以下で本考案の実施の形態を説明する。
【００１３】
図１、図２に実施例を示す。接地極差込用の刃１は、ＪＩＳ  Ｃ  ８３０３が定める定格１５Ａ１２５Ｖの配線用差込接続器の接地極に適合する形状とし、一般に馬蹄形または円筒形となる。ネジ止め板２にはネジ穴２Ａを開ける。接地極差込用の刃１とネジ止め板２を接続するために頚部３を設けてもよい。接地極差込用の刃１、ネジ止め板２、及び頚部３は、一体成型するか、溶接等で接続する。
【００１４】
接地極差込用の刃１、ネジ止め板２、及び頚部３は、導体金属で作成し、さらに導体金属のメッキを施すこともできる。
【００１５】
図３に示した接続方法を以下で説明する。
【００１６】
接地極差込用の刃１は、接地極付コンセント１０の接地極刃受１１に差し込む。
【００１７】
接地線付き二極プラグ２０の接地線２１の先端端子２１Aを、ネジ４でネジ止め板２に挟んで固定する。
【００１８】
接地線付き二極プラグ２０の通電極差込用の刃２２は、本考案のアダプタを経由せずに直接、接地極付コンセント１０の通電極刃受１２に差し込む。
【００１９】
以上により、接地線付き二極プラグ２０の２つの通電極と１つの接地極がすべて接地極付コンセント１０に接続される。
【符号の説明】
【００２０】
１  接地極差込用の刃
２  ネジ止め板
２Ａ  ネジ穴
３  頚部
４  ネジ
１０  接地極付コンセント
１１  接地極刃受
１２  通電極刃受
２０  接地線付き二極プラグ
【図１】
0003201552.tif 000003
【図２】
0003201552.tif 000004
【図３】
0003201552.tif 000005
(57)【要約】【課題】生体に好ましい影響力をもつ身体用機能性素材を、実際に経絡・経穴などの要所に作用させるに適した形状に形成して、心身の健康や美容を探求する「健美法」において役立つような補助具を提供する。【解決手段】身体用機能性素材を先端部１ａの突出ないし尖出した略ペンシル状体１に形成して、本考案の身体用機能性スティックとする。また略ペンシル状体１の片端部をくびれ２を介して玉状体３に形成した形状とする。或いは略ペンシル状体１の中央部１ｂに、図３のような輪渦状の凹溝４または凸筋を形成する。【選択図】図３
0003201559.tif 000002
【実用新案登録請求の範囲】
【請求項１】
身体用機能性素材を先端部の突出ないし尖出した略ペンシル状体に形成して成ることを特徴とする身体用機能性スティック。
【請求項２】
略ペンシル状体の片端部を、くびれを介して玉状に形成して成ることを特徴とする請求項１記載の身体用機能性スティック。
【請求項３】
略ペンシル状体の中央部に、輪渦状の凹溝又は凸筋を形成して成ることを特徴とする請求項１記載の身体用機能性スティック。
【考案の詳細な説明】
【技術分野】
【０００１】この考案は、心身の健康や美容を探求する「健美法」において、機能性素材を身体の要所に当てるなどして用いられる身体用機能性スティックに関する。
【背景技術】
【０００２】生体を健康や美容上好ましい方向に導くための様々な健康・美容用具があることは周知の通りである。それらの多くは牽引やマッサージ作用などを補助するものである。【０００３】また他方では、生育光線といわれる遠赤外線や可視光線（色彩）を選択的に放射（反射）する物理的特性や、いわゆる気やプラナ或いはサトルエネルギー領域の特性を有することにより人体に好ましい影響力をもつとされる身体用機能性素材を、様々な形状、例えばブレスレット、バンド、絆、或いはその粉末を塗着したシート体にするなどして、身体に接するように工夫したもの等がある。
【考案の開示】
【考案が解決しようとする課題】
【０００４】上記のような在来のものは、いずれも身体用機能性素材を身近に装着するのに便利なように工夫されているのみで、例えば経絡・経穴箇所などの要所に作用させやすいような形状上の考慮・工夫がなされていなかった。【０００５】本考案はかかる現状から、生体に好ましい影響力をもつ身体用機能性素材を、実際に経絡・経穴などの要所に作用させるに適した形状に形成して、心身の健康や美容を探求する「健美法」において役立つような補助具を提供することを課題とするものである。
【課題を解決するための手段】
【０００６】前記のような身体用機能性素材（例えば特定遠赤外線輻射効率の良い鉱物、圧電機能をもつトルマリン、色彩材料や金、白銀、炭、薬草類など）を、先端部１ａの突出ないし尖出した略ペンシル状体１に形成して、本考案の身体用機能性スティックとする。【０００７】ここで言う「略ペンシル状体１」の寸法は、筆記用具のペンシルとしてあり得る程度のものであるが、実際に使用する際には、例えば長さ８ｃｍ位の小型のものが好ましい。【０００８】また略ペンシル状体１の片端（消しゴムを取り付ける箇所に該当）を、くびれ２を介して玉状体３に形成した形状とする。こうすることにより、その玉状体３の先端はなだらかな突出状を呈するが、その箇所の先端部をさらに小さく突出させ尖出部３ａを設けると、図２のようになり、その箇所は、欄干などの柱の上端に設ける宝珠やネギ坊主のような形状となる。【０００９】さらに略ペンシル状体１の中央部１ｂに、図３のような輪渦状の凹溝４または凸筋を形成することにより、使用者が手指で保持する際の位置決めや滑り止めになるようにする。【００１０】なお必要に応じ、前記のくびれ２の箇所よりその先の玉状体３を切り離し、これを図４のように略ペンシル状体１の中央部１ｂなどに取り付けることにより、別の形態にして用いることもできる。
【考案の効果】
【００１１】心身の健康と美容を探求する「健美法」において、本考案の略ペンシル状スティックは、その独特の形状により、素材のもつ様々な機能を人体に作用させるための補助具として大いに役立つ効果がある。例えば、現代科学においてもその存在を否定することはできない気やプラナなどを取り込み、本スティックの先端を表皮にあてることで体内に作用させる。【００１２】その際、中継地とされる経絡・経穴、或いはチャクラなどに刺戟或いは影響を与えるにあたり実に好適であり、持ち易く、相手にも威圧感を与えない。【００１３】また素材（材料）の一体成形（金属、樹脂、木材等の切削加工も含む）により製作できることから、前記したような様々な身体用機能性素材の選択肢も甚だ多岐にわたるので、対象者の多様な適性や要望に応じられるという効果がある。
【考案を実施するための最良の形態（実施例）】
【００１４】いわゆる遠赤材料、トルマリン、医王石、マグネシウム、パラジウム、等を粘度類と共に水混合し、これを図面のような長さ約８ｃｍの当該スティックを成型するための石膏型に鋳込み、１１５０℃〜１２５０℃で焼成したものを、本考案のスティックとする。
【００１５】同じく上記材料にフリット等を加えて同様に石膏型に鋳込み、６５０℃〜８５０℃で低温焼成する。必要に応じ、金をコーティングしたもの等も得られる。
【００１６】上記材料に赤、黄、紫、青、緑などの窯業用顔料を加えて同様に製作し、それぞれの色彩を呈するスティックも得られる。各色彩には心身に対するそれぞれ特有の治癒ないし癒しの作用効果があるとされている。
【産業上の利用可能性】
【００１７】本考案の身体用機能性スティックは、健康や美を求める分野で大いにニーズがあり、均一製品の製造も容易であるから、産業上の利用可能性は十分にある。
【図面の簡単な説明】
【００１８】
【図１】本考案一例の正面図
【図２】本考案別例の正面図
【図３】本考案更に別例の正面図
【図４】本考案を別形態に細工した例の正面図
【符号の説明】
【００１９】１……略ペンシル状体
１ａ……先端部
１ｂ……中央部
２……くびれ
３……玉状体
３ａ……尖出部
４……凹溝
【図１】
0003201559.tif 000003
【図２】
0003201559.tif 000004
【図３】
0003201559.tif 000005
【図４】
0003201559.tif 000006
(57)【要約】      （修正有）【課題】玉葱の規格選別機能を持ちながら作業でき、また、掻き込んだ玉葱を移行中に、こぼさなくて済み作業が効率よくできる玉葱収穫用の開閉扉付き穴あき手箕を提供する。【解決手段】手箕本体１の掻き込み口２の前面に、開閉扉３を設け、掻き込み口２と開閉扉３を弾性材４で繋ぐ。また、手箕本体１の底部５に、玉葱のＳ玉規格の前側穴７Ａと、その奥側に玉葱のＳＳ玉規格の奥側穴７Ｂ巾をそれぞれ複数設ける。【選択図】図１
0003201551.tif 000002
【実用新案登録請求の範囲】
【請求項１】
手箕本体（１）の掻き込み口（２）の前面に、開閉扉（３）を設け、掻き込み口（２）と開閉扉（３）を弾性材（４）で繋いだ玉葱収穫用の開閉扉付き穴あき手箕。
【請求項２】
手箕本体（１）の底部（５）に、玉葱のＳ玉規格の前側穴（７Ａ）と、その奥側に玉葱のＳＳ玉規格の奥側穴（７Ｂ）巾をそれぞれ複数設けた玉葱収穫用の開閉扉付き穴あき手箕。
【考案の詳細な説明】
【考案の詳細な説明】
【０００１】技術の分野
本考案は玉葱収穫用の開閉扉付き穴あき手箕に関する。
【０００２】背影技術
従来は土箕に玉葱を掻き込んだり素手でコンテナへ拾い込んだりしていた。
【０００３】先行技術文献１  特願２０１２−２０６２３７
【考案の概要】
【考案が解決しようとする課題】
【０００４】  従来技術の問題点は、玉葱を土箕等に掻き込むとゴミや土が一緒に入って困っていた。
それで、やむなく素手で拾っても能率が悪かった。又、箕に掻き込んだ玉葱を他の容器へ移行の際に玉葱をこぼしたりしていた。
【課題を解決する為の手段】
図面にもとづいて説明します。図１の本考案の玉葱収穫用の開閉扉付き穴あき手箕では  手箕本体（１）の底面（５）と側面（６）や開閉扉（３）等に穴（７）を設けた。特に底面（５）では複数の前側穴（７Ａ）の方は玉葱のＳ玉規格穴とし奥側穴（７Ｂ）はＳＳ玉規格穴巾複数とした。更に手箕本体（１）の掻き込み口（２）の前面に設けた開閉扉（３）は、弾性材（４）で掻き込み口（２）と繋いであるから玉葱を開閉扉（３）から掻き込み口（２）を経て手箕本体（１）へ掻き込んだら取っ手（８）と掴み部（９）とで持ち上げると開閉扉（３）は弾性材（４）を介して掻き込み口（２）を閉ざして玉葱をこぼさなく移行できコンテナ等へ移し込む際に掴み部（９）の手を離せば開閉扉（３）は弾性材（４）の復元力で開き作業が進む。
【考案の効果】
手箕本体（１）の底面（５）や側面（６）等に穴（７），（７Ａ），（７Ｂ）等を設けたので玉葱を掻き込み口（２）から掻き込んだ時に、ゴミや土が自然に穴（７），（７Ａ），（７Ｂ）等から落ちて、玉葱に混じない。特に底面（５）の前側穴（７Ａ）の方は玉葱のＳ玉規格穴とし奥側穴（７Ｂ）は玉葱のＳＳ玉規格穴巾としたから玉葱の規格選別機能を持ちながら作業出来る。また手箕本体（１）の掻き込み口（２）の前面に設けた開閉扉（３）で手箕本体（１）に掻き込んだ玉葱を移行中に、こぼさなくてすむから作業が効率よくできる。
手箕本体（１）と開閉扉（３）は弾性材（４）で繋いであるから開閉自在である。
本考案が玉葱以外にも転用できることはもちろんである。
【実施例】
【０００５】実施例図２では手箕本体（１）と開閉扉（３）を繋ぐ弾性材（４）を図１ではコイルバネを使用したが、図２では、ワイヤー（４Ａ）、弾性プラスチック（４Ｂ）等とした。
他にも板バネ等、適当な弾性材なら代用が出来る。
【図面の簡単な説明】
【０００６】
【図１】は、本考案の斜視図である。
【図２】は、本考案の実施例の斜視図である。
【考案を実施する為の形態】
図１及び図２の如くである。
【０００７】産業上利用の可能性
【符号の説明】
【０００８】（１）は手箕本体。
（２）は掻き込み口。
（３）は開閉扉。
（４）は弾性材。（４Ａ）はワイヤー。（４Ｂ）は弾性プラスチック。
（５）は底面。
（６）は側面。
（７）は穴。（７Ａ）前側穴。（７Ｂ）は奥側穴。
（８）は取っ手。
（９）は掴み部。
【図１】
0003201551.tif 000003
【図２】
0003201551.tif 000004
(57)【要約】      （修正有）【課題】お茶の葉や菓子などを保存するための金属製の丸缶あるいは角筒の蓋を楽に外すことができる取っ手付き補助蓋を提供する。【解決手段】缶の缶蓋１０上端部中央に、缶の内部が見えるような透明材料で形成された窓部材とその窓部材に一体または別途に取り付けられた取っ手２とで構成された補助蓋１を、固設する。【選択図】図２
0003201557.tif 000002
【実用新案登録請求の範囲】
【請求項１】
缶の缶蓋上端部中央に開けた穴に固設してなる、透明材料で形成された凹形の窓部材と該窓部材に一体または別途に取り付けた取っ手とで構成された取っ手付き補助蓋。
【考案の詳細な説明】
【技術分野】
【０００１】  本考案はお茶の葉や菓子などを保管するための金属製の丸筒若しくは角筒で構成された蓋付の缶に関する。
【背景技術】
【０００２】  お茶の葉や菓子などを湿気から守る保存収納具としては、古来よりブリキ板などの金属板を丸めて丸筒にしたり、加工して角筒にしたりして、同寸に近い寸法の筒の蓋を被せて一体となした缶が一般に知られている。【０００３】  しかし、蓋（以後、缶蓋と呼ぶ）の直径あるいは一辺が手のひらに収まる程度のものであれば、缶本体を片方の手で保持し、もう一方の手で缶蓋を掴んで静かに引き上げることで缶本体から缶蓋を外すことができるのであるが、缶の直径あるいは一辺がそれより大きなものになると缶蓋をきちんと掴みきれず片手で引き上げることは甚だ難しい。缶蓋は本体とすれすれの寸法で収まっているので正確に真上に引き上げないと摩擦がかかって動かなくなる恐れが生じる。【０００４】  そこで、缶蓋をいかに楽に外すか、各種手段が考案されており、例えば、缶蓋の頭頂部の中央付近を凹ませ、そこに長方形にしたブリキなどの金属を取っ手として配設した缶があるが、製造に手間がかかる事、取っ手を缶に接合する部分が危ない事、経年使用によりブリキなどの金属の取っ手の中央部が折れてしまい、折れ目で手を怪我する可能性があること、缶の色に合わせ取っ手を塗装することに手間と時間がかかる事、等により早くに廃れてしまった。【０００５】  また、取っ手をプラスチックの逆台形型のつまみ形状にしたものも出現したが、ロット数が必要になるため多種多様な缶の色に対応できず、またデザイン性も悪く、かつ安っぽい感じが否めず、かつ一つ一つねじ込みをする必要があり、手間と時間がかかるためこれまた廃れてしまった。【０００６】  さらにその後、やはり同素材が良いであろうという事で、プレス機で製造するブリキなどの金属製の取っ手が登場したが、プレス機で製造する為、手で持つ部分のつまみ形状はほぼ円筒状となってしまい、引っ掛かりがほとんど無い為、取っ手を摘まんで缶蓋を引き上げるのにかなりの握力と指先の力が必要となり、ご年配者や子供には開けることの難しいものとなってしまっていた。また円筒形の缶は、スクリュー（ねじって開閉する）タイプが根付いてる諸外国では、日本の円筒型の缶の開け方（真っ直ぐ上に缶蓋を引っぱる）を知らない方が多く、缶を開ける際、この取っ手形状だと、皆、缶をねじって開けようとするので、缶がきちんと開かず（まっすぐ上部に引き上げないと摩擦で開かない）、缶本来の機能をなさないことが多かった。【０００７】  一方、このような缶に関しては、缶蓋を開けなくても外から中身を視認できるような施策が施されてきているが、たとえば缶蓋頭頂部に窓穴をあけそこに透明な板をかぶせたり（非特許文献１，２）、あるいは缶本体側面に窓穴を開け、その穴に透明な板をはめ、そこから缶内部の状態が視認できるものはある（特許文献１）。
【先行技術文献】
【特許文献】
【０００８】
【特許文献１】実用新案登録公報第３０９７５３７号
【非特許文献】
【０００９】
【非特許文献１】・ＫＯＴＯＤＯ  ＣＡＮＩＳＴＥＲＳ  Ｃａｔａｌｏｇ（Ｅｎｇｌｉｓｈ）４，５，６，１０ページ
【非特許文献２】・日東産業（株）２０１４−２０１５  総合カタログ  Ｎｉｔｔｏｈ  Ｓｔｙｌｅ  ５１，９１，９５ページ
【考案の概要】
【考案が解決しようとする課題】
【００１０】  従来、缶の中が見えるように缶蓋頭頂部に透明部材の窓の付いた缶や、缶本体の側面部に透明部材の窓の付いた缶や、また、缶蓋頭頂部に一本橋状の取っ手やその他形状の取っ手・つまみの付いたものは存在するが、缶蓋頭頂部に缶の中が見えるような窓を形成し且つそこに取っ手を一体的に設けた缶蓋は存在しない。また、現行のプレス機で製造する取っ手は、通常でも工程数が８工程あり、工程数が多い。
【課題を解決するための手段】
【００１１】  缶の缶蓋上端部中央に開けた穴に、透明材料で形成された窓部材と取っ手を固設する。
【考案の効果】
【００１２】  缶蓋上部に透明な取っ手付き窓部材を設置したので、缶を開けなくても内容物を明快に確認することが出来、しかも力の弱い方でも取っ手を掴んで缶蓋を容易に開けられ、無意識に上に引っ張りたくなるユニバーサルデザインであり、経年使用やブリキなどの金属製の取っ手端のような危険性もない安全なものとなる。また、缶の直径あるいはその一辺が大きくなればなるほど、本考案の製品は効果を発揮する。さらに工程数が１工程となり、作業量・作業時間の大幅短縮につながる。
【図面の簡単な説明】
【００１３】
【図１】本考案の製品の平面図および側面図
【図２】本考案の製品を設置した缶の参考斜視図
【考案を実施するための形態】
【実施例】
【００１４】  図１は本考案の取っ手付き補助蓋の一実施例を示し、１は透明な丸い形状の取っ手付き補助蓋であり、その平面部は窓５として缶蓋の頭頂部に設置され（図２参照）、その透明な窓５から缶本体８の中身を視認することができる。窓５の中央部分には細長形状の取っ手２を設ける。取っ手付き補助蓋１は缶蓋１０の頭頂部中央穴に取っ手付き補助蓋１の円周部３を固く挿入する。挿入した取って付補助蓋１はその外周縁４で缶蓋１０に係止する。缶蓋１０を缶本体８から開けたい場合は、取っ手２を掴んで缶蓋１０を上部に引き上げることで、缶蓋１０を缶本体８から外すことができる。なお、取手付き補助蓋１の形状は円形でも良いし、角形状でも良く、材質は透明プラスチック、あるいは透明ガラスで構成され、取っ手２と窓５は一体成型でも良いし、２パーツを溶着または接着する作り方でも可能である。
【符号の説明】
【００１５】１    取っ手付き補助蓋
２    取っ手
３    円周部
４    外周縁
５    窓
８    缶本体
１０  缶蓋
【図１】
0003201557.tif 000003
【図２】
0003201557.tif 000004
(57)【要約】      （修正有）【課題】デジタルカメラなどで写したお気に入りの写真を時間毎、又は日毎にペンダントに映し出し、その映像を自由に変えられるペンダントを提供する。【解決手段】液晶画面２と電池６を備えたペンダントであって、このペンダントに、不揮発メモリを装着し、メモリ内の映像を液晶画面２に表示可能とした。【選択図】図１
0003201587.tif 000002
【実用新案登録請求の範囲】
【請求項１】
液晶画面と電池を備えたペンダントであって、このペンダントには、不揮発性メモリを装着し、メモリ内の映像を液晶画面に表示可能としたことを特徴とするペンダント。
【考案の詳細な説明】
【技術分野】
【０００１】
本考案は、デジタルカメラなどで写した写真を保存したＳＤカードをペンダントの中に組み込み、お気に入りの写真を時間毎、又は日毎にペンダントに映し出し、その映像を自由に変えられるペンダントに関する。
【背景技術】
【０００２】
ペンダントは、宝石・メダル・工芸品で作られている他、写真をペンダントの中に組み込んだものもあり、それを首飾りにしたものが一般的である。
【考案の概要】
【考案が解決しようとする課題】
【０００３】
ペンダントの模様、色彩、映像に変化がないので飽きが来る。
［課題を解決しようとするための手段］
【０００４】
本考案は、ペンダントに映像を内蔵した不揮発性メモリに保存されたお気に入りの映像を自由に変えられる特色あるペンダントである。
【考案の効果】
【０００５】
本考案のペンダントには、次のような効果がある。
（１）周囲が、ペンダントの映像に興味を抱く。
（２）  観光地の名勝地をＰＲ出来、売店での売り上げを望める。
（３）外国人には特に興味あるものとしてＰＲ出来る。
【図面の簡単な説明】
【０００６】
【図１】この考案の電子ペンダントの正面図を示す。
【考案を実施するための形態】
【０００７】
本電子ペンダントは、映像を映し出す液晶画面、映像を取り込んだＳＤカード、液晶電池を組み込んだものである。
【実施例】
【０００８】
以下、本考案に係る電子ペンダント構造の実施例を図面に基づいて詳細に説明する。
図１は、本考案の請求項に係る電子ペンダントの実施例を示す正面図を示す。
図の電子ペンダントは、ペンダント本体１、ペンダントに組み込むカメラで写した写真を保存したSDカード５と液晶電池６、映像を映し出す液晶パネル２、映像切り替えボタン３、電池入切ボタン４、首輪７からなる。
以上の電子ペンダントは、次のようにして使用する。
ペンダントの映像をお気に入り写真の映像に切り替え首にぶら下げる。
【符号の説明】
【０００９】
１  ペンダント本体
２  液晶パネル
３  映像切替えボタン
４  電池入切ボタン
５  ＳＤカード
６  液晶電池
７  首輪
【図１】
0003201587.tif 000003
(57)【要約】      （修正有）【課題】スキーをする時、ゴーグルをかけると内部の熱気によりメガネが曇るのを防止し、紫外線、風雪、寒さを防ぐ仮面ゴーグルを提供する。【解決手段】仮面ゴーグルは、仮面１にゴーグル２を組み込み一体化したものである。仮面には頭を固定するバンド止め３、仮面と顔面の緩衝役をするスポンジからなる。ゴーグル２の目の周りの熱気を逃がす又は風を入れる通気穴５を設けている。又空気を吸う、吐く為の鼻穴、口穴７を設けている。通気穴と内部空間の面積を多く取ることによりメガネ曇り防止を図り、顔全体を仮面で覆うことにより紫外線防止、風雪防止、寒さ防止を施したものである。【選択図】図１
0003201588.tif 000002
【実用新案登録請求の範囲】
【請求項１】
仮面にゴーグルを組み込み一体化させ、仮面には顔面内部の熱気を逃がす又は、外気を取り込む通気穴を設け、メガネ曇り防止を図り、顔全体を覆うことにより紫外線、風雪、寒さ防止を兼ねた改善された仮面ゴーグル。
【考案の詳細な説明】
【技術分野】
【０００１】
本考案は、スキーをする時、メガネをかけている人がゴーグルをかけるとゴーグル内部が熱気によりメガネが曇るのでそれの改善と紫外線、風雪、寒さを防げる仮面ゴーグルを提供する。
【背景技術】
【０００２】
スキーをする時、紫外線から目を保護する為、ゴーグルを使用する。又、顔面下半分、鼻、口周り頬を紫外線を避ける為、スカーフとかハンカチを巻いて保護する。
【考案の概要】
【考案が解決しようとする課題】
【０００３】
（１）スキーする時メガネをかけている人はゴーグルをかけると、目の周りの熱気によりメガネが曇り前が見えなくなる。
（２）ゴーグルだけでは、目の下、顔半分は紫外線防止が不十分である。又頬、鼻、口周りが寒い。
【課題を解決するための手段】
【０００４】
本考案は、仮面にゴーグルを組み込み一体化させたものである。図１のゴーグル２の目の周り空間を単独でゴーグル装着をした場合より大きく取ることにより、熱気がこもらないようにした。又熱気を通気穴５にて冷気を入れると同時に熱気を逃がすことでバランスをとりメガネをかけた人のメガネ曇りの防止を図った。顔を能面のように全体を覆うことにより、紫外線防止、風雪防止、寒さ防止を図った。寒さについては場合によって通気止め栓８で頬周りの通気穴を埋めることで調整出来るものとした。
【考案の効果】
【０００５】
本考案の仮面ゴーグルは、次のような効果がある。
（１）  メガネをかけている人はメガネが曇らず安心してスキーが楽しめる・
（２）  顔全体が紫外線で焼ける心配がない。
（３）  風雪で顔が寒くなる心配がない。
【図面の簡単な説明】
【０００６】
【図１】この考案の仮面ゴーグル正面図
【図２】この考案の仮面ゴーグルＡ−Ａ断面図
【考案を実施するための形態】
【０００７】
本考案仮面ゴーグルは、図１の仮面１で顔全体を覆い、仮面にゴーグル２が組み込まれ、目周りの熱気を通気穴５にて逃がす、冷気を入れることによりメガネ曇り防止、顔全体を覆ことにより紫外線、風雪、寒さ防止を図ったものである。
【実施例】
【０００８】
図１は、仮面ゴーグルの正面図を示す。図２は仮面ゴーグルのＡ−Ａ断面図を示す。
図１の仮面ゴーグルは、仮面１、ゴーグル２、バンド止め３、スポンジ４、通気穴５、鼻穴６、口穴７、通気止め栓８から構成される。
仮面１は顔全体を覆いプラスチック製で出来ている。ゴーグル２は現在も使用されている色、形、材質からなり仮面１に組み込まれている。バント止め３はバンドを取り付ける箇所、スポンジ４は仮面と顔の接触面の緩衝、通気穴５は冷気を入れる、顔面の熱気を逃がす両作用の役目をする。穴の向きは、紫外線が入らない様に下向きとする。鼻穴６は呼吸の為の穴、口穴７は呼吸する為と口から出る熱気を逃がす役目をする。通気止め栓８は、通気穴５に差し込んで使用するが、外気温度に合わせ使用する。
以上の仮面ゴーグルは、次のようにして使用する。
スキーをする時、現在のゴーグルを使用する方法でメガネ曇り防止、紫外線防止、風雪防止、寒さ防止の為使用する。
【符号の説明】
【０００９】
１  仮面
２  ゴーグル
３  バント゛止め
４  スポンジ
５  通気穴
６  鼻穴
７  口穴
８  通気止め栓
【図１】
0003201588.tif 000003
【図２】
0003201588.tif 000004
(57)【要約】      （修正有）【課題】任意の旋律を容易に印字し、かつそれを奏でることができ、誰もがメロディーを母国語のようにコミュニケーションの手段として用いることができる回転式スタンプを提供する。【解決手段】楽譜を構成する音符を印字するスタンプであって、音符ごとのスタンプａを一つのセグメント４とし、音源となる櫛歯状弁５を固定したハブ３を中心に回転する台座２に、セグメントを所望の旋律に合わせ複数個固定する。ハブを回転支持するケース１を保持しながら紙面上で転がすと台座が回転し、旋律に一致する配列の音符を紙面に印字すると同時にその旋律を奏でることができる。【選択図】図１
0003201534.tif 000002
【実用新案登録請求の範囲】
【請求項１】
楽譜を構成する音符を印字するスタンプであって、その音符ごとのスタンプを一つのセグメント（４）とし、音源となる櫛歯状弁（５）を固定したハブ（３）を中心に回転する台座（２）に所望の旋律に合わせ複数個固定し、ハブを回転支持するケース（１）を保持しながら紙面上で転がすと台座が回転し、前述の旋律に一致する配列の音符を紙面に印字すると同時にその旋律を奏でることのできる回転スタンプ。
【考案の詳細な説明】
【技術分野】
【０００１】
ゴム版による図形印刷
【背景技術】
【０００２】
図形、文字などを印刷するスタンプを用いて楽譜の構成要素である音符など様々な記号を印字し、手書きの代わりに用いることは特許文献１の示すごとく既存技術である。また、スタンプを押す動作を利用して音符を印字すると同時に対応する音を発生させる仕組みの考案は特許文献２の示すように既に出願されている。しかし、任意の旋律に対応する楽譜の全体もしくはその一部を連続的に印字し、かつ対応する音を発生させるためのスタンプは見当たらない。
【先行技術文献】
【特許文献】
【０００３】
【特許文献１】特開平０９−１５６１９０は音楽用スタンプとして出願されたもので、楽譜を構成する各種記号を単独または回転式のゴム印で表わし楽譜作成を手書きの代わりに美しく行うことを意図しているが、押印の動きを音符ごとの音や旋律発生の仕組みと連動させることは想定されていない。
【特許文献２】実願２０１５−００３７５５は押印の動作と連動した音を発生させる仕組みを備えたスタンプに関するもので、各スタンプを任意の旋律に合わせて並べて印字することを意図するものであるが、連続的に旋律を奏でる仕組みは明記されていない。
【考案の概要】
【考案が解決しようとする課題】
【０００４】
文字や数字同様、楽譜を構成する音符も視覚的に認識されるものであるが、一般的に音符を文字の場合の発音と同様に特定の音と関連付けて認識することは各個人に特殊な技能、能力によるものであり、文字や数字の意味や発音を理解するための学習とは別の習熟が求められるところである。例えば、ドレミのドはその図形的な表象と意味だけではなく耳で聞いて解る一定の音（周波数）も合わせて理解することが必要である。つまり、音符を記号として認識すると同時にそれに対応する音をイメージすることが求められるが、その能力は通常の語学力に比べて広く獲得されているものとは言えない。
【課題を解決するための手段】
【０００５】
音符の表示（印字）と同時にその音符に対応する音を発生させる回転式スタンプを用いることで音符とその意味するところの音、並びに回転により奏でるられる連続的な音即ち旋律を印字された楽譜と一体的に理解することができる。
【考案の効果】
【０００６】
音符を図形として表示し、またコンピュータによりそれを読み取り自動演奏することは既存の技術であるが、これらは往々にして高価な機器でもあることから、より簡便な方法で音符とその音、更には連続した音符とその旋律を一体的に表わし、関連付けられた理解を促すことのできる道具としてオルゴールなどに用いられている弁を音源とする回転式スタンプを考案した。これにより、音楽の最も基本的な要素である音符とその組み合わせで得られる旋律について理解を深めることができ、特に学校教育現場などで有効に使えるものと思われる。また楽譜を印字する回転動作で任意の旋律を奏でることができるため簡易的な楽器としても使えるとともに非常に多くの異なる旋律を個人認証やバーコード的に利用することも考えられる。
【図面の簡単な説明】
【０００７】
【図１】音符印字部とそれに該当する音源の弁を弾くことで対応する音を発生させるキーを持つスタンプセグメントとそれを円周上に装填するための台座、音源となる櫛歯状弁を保持するハブ、並びにケース
【考案を実施するための形態】
【０００８】
回転中心部にオルゴールで用いられる一オクターブ以上の音階を有する櫛歯状の弁を固定し、その回りを回転する台座に各音符ごとのスタンプと対応する音の弁を弾くキーを備えたセグメントを任意の旋律通りに配置する。回転中心部を保持し、台座を回転させると楽譜が印字されると同時にその旋律が奏でられる。
【実施例】
【０００９】
回転式スタンプを構成する主な部品はハブと一体となるケース、スタンプセグメント、スタンプセグメントを周囲に配置し取り付ける回転台座、ハブの中心部に固定する櫛歯の弁であり、弁以外は全てプラスチックの成形品とし、スナップフィットもしくはネジ止めなどで組み立てる。スタンプセグメントには音符に対応する弁を弾くためのキーを装着もしくは突起部を一体化する。スタンプセグメントは使用者が容易に組み変えられるように台座に圧入もしくはスナップフィットで取り付ける。
【産業上の利用可能性】
【００１０】
学校教育教材、一般文房具、玩具などとして商業製品化が可能であり、音感学習、個人認証器具、簡易な楽器として利用できる。旋律の組み合わせが非常に多くなることから暗号などの特殊なメッセージ交換手段や視覚障害者のコミュニケーションツールとしても用いることができると考えられる。
【符号の説明】
【００１１】
１．ケース
２．回転台座
３．ハブ
４．スタンプセグメント
５．櫛歯状弁（音源）
ａ．スタンプ（ゴム印）
ｂ．キ―
ｃ．スナップフィット取り付け爪
【図１】
0003201534.tif 000003
(57)【要約】      （修正有）【課題】支える能力、引張能力と圧縮能力も強い、組合が簡単である建築用の軽型ユニット式の鋼構造を提供する。【解決手段】基板１と、基板１の上で、基板１の中心線を対称線として、左右対称に設置される二枚の支える板２、及び支える板２の上部に設置される「Ｕ」型鋼件３を含む。支える板２が基板１の間に７５°角で取り付け、支える板２と基板１の取り付け位置に強化筋５も設置される。「Ｕ」型鋼件３の上に、支える板２の上部に合わせる接続溝１１を設置する。「Ｕ」型鋼件３と支える板２が、接続溝１１を通して相互的に協力し接続する。【選択図】図１
0003201429.tif 000002
【実用新案登録請求の範囲】
【請求項１】
建築用の軽型ユニット式鋼構造において、基板（１）と、基板（１）の上に設置される二枚の支板（２）、及び支板（２）の上部に設置される「U」型鋼（３）を含み、支板（２）が基板（１）に対して75°の角度で取り付けられ、支板（２）と基板（１）の取り付け位置に強化筋（５）が設置され、「U」型鋼（３）には、支板（２）の上部に合わせるための接続溝（１１）が設置され、「U」型鋼（３）と支板（２）が、接続溝（１１）を介して接続されることを特徴とする軽型ユニット式鋼構造。
【請求項２】
請求項１に記載の軽型ユニット式鋼構造において、基板（１）の上に槽（４）が設置され、支板（２）の底部が槽（４）内に設置され、強化筋（５）が槽（４）と支え板（２）の底部の間に設置されることを特徴とする軽型ユニット式鋼構造。
【考案の詳細な説明】
【技術分野】
【０００１】
本実用新案は、一種の建築用の軽型ユニット式鋼構造にかかる。
【背景技術】
【０００２】
ここ数年来、軽鋼構造住宅の優位性は、ますます人々に認知され、住宅技術の新しい熱点になっている。北米、ヨーロッパなどの国家で、軽鋼構造の建物は、すでに一種のよく見る構造体係になる。軽鋼構造の住宅を採用する割合は、90年代初めからの5％、今までの25％を発展になった。軽鋼構造の部屋体系は、その高度工業化の生産方式、高効率の現場の取り付けレベル、と優良な新型、健康なインテリア製品理念の利用によって、ますます多くの人々に受け入れている。
【０００３】
しかし、現在の住宅の中で、使う鋼構造は、常に単一の鋼構造を採用する。例えば「工」型鋼、「H」型鋼、「C」型鋼などのように、単一の鋼構造は、構造が比較的簡単ですが、その支える能力、引張能力と圧縮能力がよくない。それは今の住宅構造の需要を満たされないので、広く使用を推進することに適しない。
【考案の概要】
【考案が解決しようとする課題】
【０００４】
本実用新案が解決の技術問題は、支える能力、引張能力と圧縮能力も強い、組合が簡単である建築用の軽型ユニット式の鋼構造を提供する。
【課題を解決するための手段】
【０００５】
以上の問題を解決するために、本実用新案は以下の技術方案を採用する。建築用の軽型ユニット式鋼構造は、基板と、基板の上で、基板の中心線を対称線として、左右対称に設置される二枚の支える板、及び支える板の上部に設置される「U」型鋼件を含みる。支える板が基板の間に75°角で取り付け、支え板と基板の取り付け位置に強化筋も設置される。「U」型鋼件の上に、支える板の上部に合わせる接続溝を設置される。「U」型鋼件と支える板が、接続溝を通して相互的に協力し接続する。配合することや接続することを通じて、接続や分解がもっと便利で、支え板と「U」型鋼件の間の固定がより堅固になる。
【０００６】
優先的な技術方案として、基板の上に槽を設置され、支え板の底部が槽の内に設置される。この槽が三角形で、強化筋が槽と支え板の底部の間に設置される。強化筋の底部に傾斜角があり、槽の底部と協力する。「U」型鋼件が荷重する時に、支える板に重量を渡し、三角形の槽を通じて、支えるボードは基板の上に設置される。また、強化筋の設置は、支え板の安定性を増えることができり、支え板と基板の間の相対的な滑りことを有効な防止でき、事故が起きることを避ける。
【考案の効果】
【０００７】
本実用新案の建築用の軽型ユニット式鋼構造を使って、鋼構造の支える強度、引張強度と圧縮強度の効率が高くなる。75°角で設置される支え板と基板を通して、「U」型鋼件の荷重能力を増えることができる。強化筋の設置は、支える板の安定性を増える。配合することや接続することを通じて、接続や分解がもっと便利で、支え板と「U」型鋼件の間の固定がより堅固になる。しかも、この建築用の軽型ユニット式の鋼構造の構造が簡単で、広く使用を推進することに合う。
【図面の簡単な説明】
【０００８】
【図１】新型の建築用の軽型ユニット式鋼構造の見取り図である。
【考案を実施するための形態】
【０００９】
図１の建築用の軽型ユニット式鋼構造を参考にし、これは、基板１と、基板１の上で、基板１の中心線を対称線として、左右対称に設置される二枚の支える板２、及び支える板２の上部に設置される「U」型鋼件３を含みる。支える板２が基板１の間に75°角で取り付け、支え板２と基板１の取り付け位置に強化筋５も設置される。「U」型鋼件３の上に、支える板２の上部に合わせる接続溝１１を設置される。「U」型鋼件３と支える板２が、接続溝１１を通して相互的に協力し接続する。配合することや接続することを通じて、接続や分解がもっと便利で、支え板と「U」型鋼件の間の固定がより堅固になる。
その中で、基板１の上に槽４を設置され、支え板２の底部がカード４槽の内に設置される。この槽４が三角形で、強化筋５が槽４と支え板２の底部の間に設置される。強化筋５の底部に傾斜角があり、槽４の底部と協力する。「U」型鋼件が荷重する時に、支える板に重量を渡し、三角形の槽を通じて、支えるボードは基板の上に設置される。また、強化筋の設置は、支え板の安定性を増えることができり、支え板と基板の間の相対的な滑りことを有効な防止でき、事故が起きることを有効に避ける。
【００１０】
本実用新案の建築用の軽型ユニット式鋼構造を使って、鋼構造の支える強度、引張強度と圧縮強度の効率が高くなる。75°角で設置される支え板と基板を通して、「U」型鋼件の荷重能力を増えることができる。強化筋の設置は、支える板の安定性を増える。配合することや接続することを通じて、接続や分解がもっと便利で、支え板と「U」型鋼件の間の固定がより堅固になる。しかも、この建築用の軽型ユニット式の鋼構造の構造が簡単で、広く使用を推進することに合う。
【００１１】
以上によると、これは、わずか本実用新案の具体的な実施方式である。でも、本実用新案の保護範囲は、ここにだけではなく、何か創造的な労働を経てない変化と替えることが、本実用新案の保護範囲にいる。だから、本実用新案の保護範囲は、権利請求書に限定の保護範囲によって基準をする。
【符号の説明】
【００１２】
１  基板
２  支える板
３  鋼件
５  強化筋
１１  接続溝
【図１】
0003201429.tif 000003
(57)【要約】      （修正有）【課題】パッケージ用、荷札やネームなどのタグ、又ステーショナリーとしての趣向にとんだ巻取り紙単糸を提供する。【解決手段】色の異なる巾略１０ｍｍの複数の紙製テープを同時に撚り、太さが０．８ｍｍ〜１．１ｍｍの紙単糸１を、直径２５ｍｍから３５ｍｍの巻きシャフト（巻いた仕上がり紙単糸の内径４に等しい。）に高さが４０ｍｍ以下になるよう左右に振りながらあや巻状に巻きつけ、巻いた仕上がり巾が４０ｍｍから６０ｍｍにし、紙単糸の巻取り長さを２０ｍを超えない長さとし、側面に丸みを帯びるようにしてある。尚同色の紙テープを使用してもよい。【選択図】図１
0003201425.tif 000002
【実用新案登録請求の範囲】
【請求項１】
内径２５〜３５mm、高さ４０mm以下、紙単糸の巻取り長さ８ｍ〜２０ｍ、紙単糸の太さを１．１mm以下、巻き仕上がり最大外径を６０mm以下とした巻き取り紙単糸。  
【考案の詳細な説明】
【技術分野】
【０００１】
本考案は、主に縛り紐や手芸材料として使用するに便利な紙撚り紐（紙単糸）に関する。
【背景技術】
【０００２】
従来これら紙単糸は従来より直径４０mmから７０mmの巻きシャフトに紙単糸案内の振り幅(高さ)を５０〜７０mm、紙単糸の巻取り長さ３０〜２００ｍ、紙単糸の太さ１．５mmから３．５mm、巻き仕上がり径８０mm〜２００mmに巻いて巻き端部を止め、巻きシャフトより取り外している。色はクラフト、白などの単色のものが多い。
【０００３】
これら紙単糸は、袋の持ち手、梱包用材、紙バンドの素材などに使用されているのが一般的である。
【考案の概要】
【考案が解決しようとする課題】
【０００４】
そこで本考案は、パッケージ用、荷札やネームなどのタグ、又ステーショナリーとしての趣向にとんだ巻取り紙単糸を提供しようとするものである。
【課題を解決するための手段】
【０００５】
内径２５〜３５mm、高さ４０mm以下、紙単糸の巻取り長さ８ｍ〜２０ｍ、紙単糸の太さを１．１mm以下、巻き仕上がり最大外径を６０mm以下とした巻き取り紙単糸である。
【考案の効果】
【０００６】
本考案の効果として、パッケージ用、荷札やネームなどのタグとしての使用、ステーショナリーとして引き出し等に簡単に納まるだけでなく卓上においても邪魔にならないサイズでむしろ紙そのものの風合いによって癒し効果を得ることができる。又細く仕上がっているため柔軟性に優れており、おすそ分けなど菓子の小分け袋又は、テッシュペーパー等で包む場合に容易に縛ることができ便利である。更に紙単糸の原料として牛乳パック等食品の包装に使われていたものを使用することにより、衛生面においても優れており、色数は５０色と豊富に揃えることにより、ちょっとしたプレゼントをラッピングする場合輪ゴムの代用として使え、デコレーション効果が期待できる。
【図面の簡単な説明】
【０００７】
【図１】本考案に係る巻き取り紙単糸の斜視拡大説明図
【図２】同側面拡大説明図
【実施例】
【０００８】
本案を図示の実施例により詳記すると、色の異なる巾略１０mmの複数の紙製テープを同時に撚り、太さが０．８mm〜１．１mmの紙単糸１を、直径２５mmから３５mmの巻きシャフト（図示せず。後述の巻いた仕上がり紙単糸の内径４に等しい。）に高さ２が４０mm以下になるよう左右に振りながらあや巻状に巻きつけ、巻いた仕上がり巾３が４０mmから６０mmにし、紙単糸の巻取り長さを２０ｍを超えない長さとし、側面に丸みを帯びるようにしてある。尚同色の紙テープを使用してもよい。
【０００９】
紙単糸１の太さを１．１から０．８mmにしたのは１．１mmを超える太さでは柔軟性が無くなる為縛りにくくなり、０．８mm未満の太さでは切れる恐れがある。高さを４０mm以下になるようにしたのはそれを超えると事務机の引き出しに収納しにくくなる為である。
又巻きシャフトの太さ（巻いた仕上がり紙単糸の内径４）を２５mmから３５mmにしたのは、２５mm未満ではカールぐせが強く付いてしまう為、紙単糸を中から引き出して使う際、ヨレヨレになってしまう。又３５mmを超えると仕上りの外径がおおきくなり側面の丸みが損なわれ美的効果が薄れる。更に巻取り長さが２０ｍを超えると側面の丸みが薄れる。又仕上がり巾３が４０mm未満や、６０mmを超えても側面に形成される丸みが薄れ美的効果に欠ける。
【符号の説明】
【００１０】
１：紙単糸
２：振り幅（高さ）
３：巻いた仕上がり巾
【図１】
0003201425.tif 000003
【図２】
0003201425.tif 000004
(57)【要約】      （修正有）【課題】排気口近傍の空気の淀みを解消すると同時に排気口近傍を汚れにくくするために汚空気を希釈して排気することができる希釈排気口を提供する。【解決手段】(イ)排気用送風機１に一定の長さのダクト２を取り付ける。(ロ)ダクト２より一回り大きなダクト３を、径の小さな別のダクト４により分岐し吸引用の送風機５に接続する。この時、分岐するダクト４はダクト３の直径上の中心点ではなく、中心点より上部或いは下部にずれた分岐接続位置に取り付ける。(ハ)(ロ)のダクト３の中に(イ)のダクト２を差し込む。(二)(イ)のダクト２の先端に汚空気の流れ出る隙間をあけて遮蔽板８を取り付ける。以上とで、希釈排気を構成している。【選択図】図１
0003201404.tif 000002
【実用新案登録請求の範囲】
【請求項１】
（イ）排気用送風機に一定の長さのダクトを取り付ける。
（ロ）該ダクトより一回り大きなダクトを、径の小さな別のダクトにより分岐し、吸引用の送風機に接続する。
この時、分岐する径の小さなダクトは、径の大きなダクトの直径上の中心点ではなく中心点より上部或いは
下部にずれた分岐接続位置に取り付ける。
（ハ）（ロ）のダクトの中に（イ)のダクトを差し込む。
(二)(イ)のダクトの先端から汚空気の流れ出る隙間を開けて、遮蔽板を取り付ける
以上の如く構成された、希釈排気口である。
【考案の詳細な説明】
【技術分野】
【０００１】
本考案は、強制排気口において、汚空気を希釈して排気する希釈排気口に関する。
【背景技術】
【０００２】
従来の強制排気口はほとんどの場合、汚空気をそのまま排気口から排出する構造である。
【０００３】
しかしながら、従来の強制排気口では、排気口近傍の空気が淀み、汚れやすくなるという欠点があった。
【考案の概要】
【考案が解決しようとする課題】
【０００４】
本考案は、以上のような従来の欠点に鑑み、排気口近傍の空気の淀みを解消すると同時に
排気口近傍を汚れにくくするために汚空気を希釈して排気する為の希釈排気口を提供する
ことを目的としている。
【課題を解決するための手段】
【０００５】
上記目的を達成する為に、本考案は
(イ）排気用送風機１に一定の長さのダクト２を取り付ける。
（ロ）該ダクト２より一回り大きなダクト３を、径の小さな別のダクト４により分岐し、吸引用の送風機５に接続する。
この時、分岐するダクト４はダクト３の直径上の中心点７ではなく、中心点７より上部或いは下部にずれた分岐接
続位置６に取り付ける。
（ハ）（ロ）のダクト３の中に、（イ）のダクト２を差し込む。
（二）（イ）のダクト２の先端に汚空気９の流れ出る隙間をあけて、遮蔽板８を取り付ける。
以上の如く構成している。
【考案の効果】
【０００６】
以上の説明から明らかなように、本考案にあっては、次に列挙する効果が得られる。
（１）吸引用送風機５に接続したダクト４は、接続したダクト３の直径上の中心点７ではなく、
中心点７より上部或いは下部にずれた分岐接続位置６に取り付け、排気用送風機１に取り
付けたダクト２を差し込むので、吸引用送風機５から吸引された新鮮空気１０は、２本の
ダクトの間でサイクロン状に渦巻いて上昇する。
【０００７】
（２)さらに、上昇した汚空気９は遮蔽板８に沿って、ダクト外に流れ、出口付近で吸引用
送風機５から吸引された新鮮空気１０と混じり合って、希釈される。
【０００８】
（３)希釈された空気が上昇する為、排気口近傍の空気の淀みを解消し、排気口近傍を汚れにくくすることができる。
【図面の簡単な説明】
【０００９】
【図１】本考案を実施する為の、最良の第１の形態の斜視図である。
【図２】本考案を実施する為の、一部分の断面図である。
【図３】本考案を実施する為の断面構造図である。
【考案を実施するための形態】
【００１０】
以下、本考案の実施の形態を図に基づいて説明する。
【実施例】
【００１１】
図１は、本考案装置の実施例の斜視図である。
【００１２】
図２は、本考案装置の実施例の一部分の断面図である。
【００１３】
図３は、本考案装置の実施例の断面構造図である。
【００１４】
図２に表すように、ダクト４はダクト３の中心点７からずれた分岐接続位置６に取付け、
吸引用送風機５に接続する。
【００１５】
分岐接続位置６を中心点７からずらしたことで、吸引用送風機５から吸引された新鮮空気
１０はダクト２とダクト３との間でサイクロン状に上昇する。
【００１６】
さらに図３であらわすように、排気用送風機１から排気された汚空気９はロート状の遮蔽
板８に沿ってダクト外へ流れるため、ダクト２とダクト３との間でサイクロン状に渦巻いて
上昇する新鮮空気10とぶつかり希釈されながら上昇する。この時、ロート状の遮蔽板８
は、平面状の板でも問題はない。
【産業上の利用可能性】
【００１７】
本考案は、希釈排気口を製造する産業で利用される。
【符号の説明】
【００１８】
1.  排気用送風機
2.  ダクト
3.  ダクト
4.  ダクト
５．  吸引用送風機
6.  分岐接続位置
7.  中心点
8.  遮蔽板
9.  汚空気
10.  新鮮空気
【図１】
0003201404.tif 000003
【図２】
0003201404.tif 000004
【図３】
0003201404.tif 000005
【手続補正書】
【提出日】平成27年10月13日(2015.10.13)
【手続補正１】
【補正対象書類名】実用新案登録請求の範囲
【補正対象項目名】全文
【補正方法】変更
【補正の内容】
【実用新案登録請求の範囲】
【請求項１】
排気用送風機(１)に第１ダクト(２)の一端が取り付けられ、前記第１ダク    
ト(２)より一回り大きな第２ダクト(３)が、前記第２ダクト(３)よりも径
の小さな第３ダクト(４)により分岐され、前記第３ダクト(４)の一端は吸引
用の送風機(５)に接続され、前記第３ダクト(４)の他端は前記第２ダクト(
３)の直径上の中心点(７)ではなく、前記中心点(７)より上部或いは下部にず
れた分岐接続位置(６)に取り付けられ、前記第２ダクト(３)の中に前記第１
ダクト(２)が差し込まれ、前記第１ダクト(２)の他端に汚空気の流れ出る隙
間を開けて遮蔽板(８)が取り付けられることを特徴とする希釈排気口。